(57)【特許請求の範囲】
【請求項１】
高放射線エリアと周辺エリアとを隔離する壁を貫通し、内部に長手方向の段差を有して設けられた案内管と、
この案内管内に設けられケーブルが通される孔を持ち、かつ放射線遮へい機能を有する遮へい栓とを備え、
この遮へい栓は、前記段差に合わせて外径の異なる複数の栓を長さ方向に連ね、径方向に分割された半割構造で、かつ隣接する遮へい栓の半割部は所定の角度ずらして案内管内に嵌装された形状とし、前記案内管内への設置時に隣接する前記遮へい栓と接続しかつ隣接する前記遮へい栓の誤設置を防止するピンが設けられ、この遮へい栓内に前記高放射線エリアに設置され検出器に接続された耐放射線性のMIケーブルと前記周辺エリアに設置されるソフトケーブルを接続するコネクタを収納したことを特徴とするケーブルの壁貫通装置。
【発明の詳細な説明】
【０００１】
【発明の属する技術分野】
本発明は原子力施設等におけるケーブルの壁貫通装置に関する。
【０００２】
【従来の技術】
従来、原子力施設において隔離された高放射線エリアに配置された測定対象物の測定を行うためには、隔離されたエリアの測定対象物まで検出器を挿出入するための案内管を設置し、隔離されたエリアからの放射線を遮へいするために、案内管出口（壁側）に放射線レベルに見合った大きさの遮へい構造物を設置している。
【０００３】
すなわち、図３に示すように、隔離された高放射線エリア１を囲む壁２を貫通する案内管３があり、案内管３には図面左方に設置され図示されていない検出器に接続された耐放射線性のMIケーブル４が挿通されている。MIケーブルは絶縁体にセラミックを使い、ステンレス外被のケーブルである。
【０００４】
MIケーブル４は案内管３の出口以降でコネクタ５によって通常のソフトケーブル６に接続されている。
さらに、案内管３の出口には、隔離されたエリア１から案内管３を通して放出される放射線のストリーミングを遮へいするために遮へい構造物７を設置している。
【０００５】
【発明が解決しようとする課題】
上記のような構成の従来のケーブルの壁貫通装置においては、遮へい構造物７は重量があり、設置，操作性において問題が多い。また案内管３の出口において遮へい構造物７を設置するためのエリアを大きくとる必要があり、建築上のコスト高の要因となる。また、遮へい構造物７を取り外したとき、案内管３を通しての放射線のストリーミングがあり、作業員が被ばくする可能性がある。さらに、耐放射線性を得るためにMIケーブルのような曲げ半径の大きいケーブルを使用する場合、曲げ半径分の操作エリアが必要になる。
【０００６】
そこで本発明は、重量物を扱う必要がなく設置，操作性がよく、放射線のストリーミングがなく、ケーブルの曲げ半径分の操作エリアを必要とすることのないケーブルの壁貫通装置を提供することを目的とする。
【０００７】
【課題を解決するための手段】
請求項１の発明は、高放射線エリアと周辺エリアとを隔離する壁を貫通し、内部に長手方向の段差を有して設けられた案内管と、
この案内管内に設けられケーブルが通される孔を持ち、かつ放射線遮へい機能を有する遮へい栓とを備え、
この遮へい栓は、前記段差に合わせて外径の異なる複数の栓を長さ方向に連ね、径方向に分割された半割構造で、かつ隣接する遮へい栓の半割部は所定の角度ずらして案内管内に嵌装された形状とし、前記案内管内への設置時に隣接する前記遮へい栓と接続しかつ隣接する前記遮へい栓の誤設置を防止するピンが設けられ、この遮へい栓内に前記高放射線エリアに設置され検出器に接続された耐放射線性のMIケーブルと前記周辺エリアに設置されるソフトケーブルを接続するコネクタを収納した構成とする。
【０００８】
本発明のケーブルの壁貫通装置は、本発明のケーブルの壁貫通装置は、遮へい栓によって放射線のストリーミングが防止されるので、壁外部において遮へい構造物やMIケーブルを用いる必要がなく、コンパクトで扱いやすい。
また、遮へい栓が長さ方向に分割されているので扱いやすいとともに、案内管および遮へい栓の段差部によって放射線の直線的なストリーミングを防ぐことができる。
更に、遮へい栓にケーブルが挿通しやすく取扱い性がよく、遮へい栓の半割れ部からの放射線の直線的なストリーミングを防ぐことができる。その際、隣接する遮へい栓の半割れ部のずれ角度が所定値に保たれ、放射線のストリーミングを防ぐことができる。
【００１３】
【発明の実施の形態】
以下、本発明の実施の形態のケーブルの壁貫通装置を図１および図２を参照して説明する。図２は図１（ａ）のII部拡大図である。上記従来の図３と同一部分には同一符号を付す。
すなわち、図示されていない隔離された高放射線エリアを囲む壁２を貫通する案内管３の中に第１，第２，第３の遮へい栓８，９，10を設ける。
【００１４】
案内管３の内部に段差を設け、この段差に合わせて、第１，第２，第３の遮へい栓８，９，10をそれぞれ半割構造にしてある。半割構造の遮へい栓８，９，10は分割部分を90°ずつずらして設置する。遮へい栓８，９，10には誤設置防止のためのピン11を設け、案内管３内への設置時にピン11に合わせて接続していく。
【００１５】
また、案内管３の壁２からの出口にフランジ12とケーブルクランプ13を設ける。さらに、案内管３のほぼ中央、第２の遮へい栓９内にコネクタ５を収納して、MIケーブル４とソフトケーブル６を接続する。
【００１６】
このような構成の本実施の形態のケーブルの壁貫通装置においては、案内管３内に遮へい栓８，９，10を収納し、案内管３出口に従来設けられた遮へい構造物７を不要とし案内管３出口を広くすることにより、案内管３の出口エリアにおける作業性を向上させることができる。
【００１７】
案内管３に段差を設け、遮へい栓８，９，10は段差に合わせた分割型であるので、遮へい栓８，９，10の案内管３内への設置を容易に行うことができる。
案内管３に段差を設けたので、隔離されたエリアから案内管３を通しての放射線のストリーミングを防ぐことができる。
【００１８】
遮へい栓８，９，10は半割構造であるので、軽量化し、案内管３内への設置を容易に行うことができる。
案内管３の出口のフランジ12にケーブルクランプ13を設けたので、案内管３内でのケーブルの移動を防止することができる。
遮へい栓８，９，10を中性子遮へい材とγ線遮へい材等を選定することにより、隔離されたエリアからの各種放射線のストリーミングを防ぐことができる。
【００１９】
案内管３に収納した遮へい栓９内にMIケーブル４とソフトケーブル６を接続するコネクタ５を収納することにより、案内管３出口のケーブルの曲げ半径をとる必要がなく、案内管の出口エリアをクリアし、作業エリアを広くすることにより、案内管の出口エリアにおける作業性を向上させることができる。
【００２０】
なお、遮へい栓の段数は、遮へい栓の大きさや重さ、放射線の強度等にしたがって適宜増減する。
また、案内管３に収納した遮へい栓８，９，10内のケーブル４，６に螺旋状等の曲げを入れることにより、高放射線エリアからケーブルと遮へい栓との間隙を通る直線的な放射線のストリーミングを防ぐことができる。
【００２１】
【発明の効果】
本発明によれば、重量物を扱う必要がなく設置，操作性がよく、隣接する遮へい栓の半割れ部のずれ角度が所定値に保たれるので放射線のストリーミングがなく、ケーブルの曲げ半径分の操作エリアを必要とすることのないケーブルの壁貫通装置を提供することができる。
【図面の簡単な説明】
【図１】本発明の実施の形態のケーブルの壁貫通装置を示し、（ａ）は縦断面図、（ｂ）は（ａ）の右側面図、（ｃ），（ｄ），（ｅ）は（ａ）のそれぞれｃ−ｃ線，ｄ−ｄ線，ｅ−ｅ線に沿う横断面図。
【図２】図１のII部を拡大して示し、（ａ）は縦断面図、（ｂ）は（ａ）の右側面図。
【図３】従来のケーブルの壁貫通装置を示す縦断面図。
【符号の説明】
１…隔離されたエリア、２…壁、３…案内管、４…MIケーブル、５…コネクタ、６…ソフトケーブル、７…遮へい構造物、８…第１の遮へい栓、９…第２の遮へい栓、10…第３の遮へい栓、11…ピン、12…フランジ、13…ケーブルクランプ。
【図１】
0004398571.tif 000002
【図２】
0004398571.tif 000003
【図３】
0004398571.tif 000004